(57)【要約】【課題】製造が容易で安価な構成で雪止め機能を満たす太陽電池モジュール固定装置を得ることを目的とする。【解決手段】太陽電池モジュール２のフレームから張り出したフランジを載置する保持面を有する架台３と、フランジの上方に設置され、フランジと保持面と固定する上側固定部材６と、上側固定部材６の上方に設置され、架台３の上部を覆う架台カバー１と、架台カバー１の上方に架台カバー１と別体で設置され、太陽電池モジュール２の上面より上部に突出する突起部材５とを備えたことを特徴とする太陽電池モジュールの固定装置。【選択図】  図３
2014190019.tif 000002
【特許請求の範囲】
【請求項１】
太陽電池モジュールのフレームから張り出したフランジを載置する保持面を有する架台と、
前記フランジの上方に設置され、前記フランジと前記保持面とを固定する上側固定部材と、
前記上側固定部材の上方に設置され、前記架台の上部を覆う架台カバーと、
前記架台カバーの上方に前記架台カバーと別体で設置され、前記太陽電池モジュールの上面より上部に突出する突起部材と
を備えたことを特徴とする太陽電池モジュールの固定装置。
【請求項２】
前記突起部材が、前記架台カバーよりも短い長さで構成されることを特徴とする
請求項１に記載の太陽電池モジュールの固定装置。
【請求項３】
前記突起部材と前記架台カバーとが同一断面形状を有することを特徴とする
請求項１乃至２に記載の太陽電池モジュールの固定装置。
【請求項４】
前記突起部材と前記架台カバーとを施工前に仮止めする仮止め部材を有することを特徴とする
請求項１乃至３に記載の太陽電池モジュールの固定装置。
【請求項５】
複数の太陽電池モジュールと、前記複数の太陽電池モジュールを屋根に敷き並べて設置する請求項１乃至４に記載の太陽電池モジュールの固定装置と
を備えたことを特徴とする太陽電池システム。
【発明の詳細な説明】
【技術分野】
【０００１】
本発明は、複数の太陽電池モジュールを屋根上等に設置するのに用いられる固定装置、及び固定装置と複数の太陽電池モジュールとを備えてなる太陽電池システムに関する。
【背景技術】
【０００２】
太陽電池モジュールは、一般的に、住宅の屋根等の傾斜面に設置される。積雪の多い地域では、太陽電池モジュール上に雪が積もった場合、積雪後に溶け出して一気に滑落し雨樋等の破損を起こすという問題点がある。
【０００３】
そこで、太陽電池モジュールの固定部材に雪止め用の突起を設けることで太陽電池モジュール上に積雪した雪が一気に滑落することを防ぐ事が考えられている。
【０００４】
先行技術（特願平１１−１５９４０９号）では、太陽電池モジュール間に配置されたカバーと雪止め部を一体に設け、雪止め部を着脱可能とすることを特徴としている。
【先行技術文献】
【特許文献】
【０００５】
【特許文献１】特願平１１−１５９４０９
【発明の概要】
【発明が解決しようとする課題】
【０００６】
従来の太陽電池モジュールの固定装置では、カバーと雪止め部を一体としているため、雪止めが不要な住宅と雪止めが必要な住宅で異なる形状の固定部材を準備する必要があり、固定部材のコストが上がるという課題があった。
この発明は、上述のような課題を解決するためになされたもので、製造が容易で安価な構成で雪止め機能を満たす太陽電池モジュール固定装置を得ることを目的とする。
【課題を解決するための手段】
【０００７】
この発明の太陽電池モジュールの固定装置は、太陽電池モジュールのフレームから張り出したフランジを載置する保持面を有する架台と、前記フランジの上方に設置され、前記フランジと前記保持面とを固定する上側固定部材と、前記上側固定部材の上方に設置され、前記架台の上部を覆う架台カバーと、前記架台カバーの上方に前記架台カバーと別体で設置され、前記太陽電池モジュールの上面より上部に突出する突起部材とを備えたものである。
【発明の効果】
【０００８】
本発明によれば、安価な構成の固定装置で雪止め機能を満たし、積雪した雪が一気に滑落することを防ぐことができる。
【図面の簡単な説明】
【０００９】
【図１】本発明の実施の形態１の分解斜視図。
【図２】本発明の実施の形態１の斜視図。
【図３】本発明の実施の形態１の固定装置の側面図。
【図４】本発明の実施の形態１の固定装置の分解側面図。
【図５】本発明の実施の形態２の固定装置の側面図。
【図６】本発明の実施の形態２の軒棟架台カバーの側面図。
【図７】本発明の実施の形態３の固定装置の分解側面図。
【図８】本発明の実施の形態４の分解斜視図。
【図９】本発明の実施の形態４の斜視図。
【発明を実施するための形態】
【００１０】
実施の形態１ ．
以下、この発明の実施の形態１を添付図面に基づき詳細に説明する。
図１は本発明の実施の形態１の分解斜視図である。
図２は本発明の実施の形態１の斜視図である。
図３は本発明の実施の形態１の固定装置の側面図である。
図４は本発明の実施の形態１の固定装置の分解側面図である。
【００１１】
図１〜図４によって示す本実施の形態１は、太陽光発電の主体となる平盤形態をした太陽電池モジュール２を住宅の屋根構造等の設置構造８に敷き並べた状態に固定する固定装置に関するものである。太陽電池モジュール２は、図１に示すように方形の平盤態に構成された光発電機能体である光発電基盤の周辺にアルミ製等のフレームを装着した構成である。
【００１２】
固定装置は、この複数の太陽電池モジュール２を屋根等の設置構造８に縦横に敷き並べて固定するものである。ここで、横方向とは水平方向の事であり図中Ｘの方向である。縦方向とは、屋根の傾斜に沿って軒側から棟側に向かう方向の事であり、図中Ｙの方向である。
複数の太陽電池モジュール２を屋根に敷き並べて固定装置にて固定することにより、太陽電池システムが構成される。
太陽電池モジュール２は、例えば横１６６０ｍｍ、縦８６０ｍｍの大きさで、屋根の上に例えば図２のように横５列、縦４段に並べられる。
太陽電池モジュール２の大きさや縦横に並べる数については、屋根の大きさに合わせて自由に選択できる。
【００１３】
固定装置は、設置構造８上に横方向（Ｘ方向）に固定される断面略凸型のアルミ製の中空状の架台３と、この架台３の内壁に設けられたガイドレール１４に挿通され、中央部にネジ穴を設けた下側固定部材７と、架台３と太陽電池モジュール２のモジュールフランジ１０とを挟んで固定するための上側固定部材６と、架台３の上部に設けられ、架台３を覆う間架台カバー１と、間架台カバー１の上部に別体で設けられ、太陽電池モジュール２の上面より突出する突起部材５と、下側固定部材７と架台８と太陽電池モジュール２のモジュールフランジ１０と上側固定部材６と間架台カバー１と突起部材５とを挟んで下側固定部材７のネジ穴で固定するモジュール固定ネジ４とを備える。
【００１４】
架台３は、横方向（Ｘ方向）に太陽電池モジュールの横幅×横列数の長さに相当する長さを有する。例えば太陽電池モジュール２の横幅が１６６０ｍｍ、横列数が５列であれば、８３００ｍｍ程度の長さを有する。
架台３は、縦方向（Ｙ方向）には最下段の太陽電池モジュール２の下側（軒側）と、それぞれの太陽電池モジュール２の間と、最上段の太陽電池モジュール２の上側（棟側）とに設置される。例えば縦４段の構成であれば架台３は５段設置される。
【００１５】
隣り合う太陽電池モジュール２の間に設置される固定装置について、図３、図４を用いて説明する。
【００１６】
架台３は、太陽電池モジュール２のモジュールフランジ１０を載置するフランジ保持面１５と、架台３の内壁に設けられ、下側固定部材７が挿通されるガイドレール１４と、太陽電池モジュール２の下側フレーム１７を載置する下側フレーム保持面１８と、設置構造８の上面に接し、架台固定ネジ用穴を設けた架台フランジ１６とを有する。
フランジ保持面１５の中央部には、モジュール固定ネジ４を通すための穴が設けられている。
架台３は屋根構造等の設置構造８の上に配置され、架台固定ネジ９で設置構造８に固定される。
【００１７】
架台３の上方には、架台３を覆って外観を向上させるための間架台カバー１が設けられる。
間架台カバー１は、架台３を覆う間架台カバー上面１６と、間架台カバー上面１６の両端に間架台カバー上面１６とほぼ直角に突出する架台カバーリブ１２を有する。
間架台カバー１に架台カバーリブ１２を設けることにより、少ない材料で間架台カバー１の変形を防ぐことができる。
【００１８】
間架台カバー１の横方向（Ｘ方向）の長さは太陽電池モジュール２の横幅の長さとほぼ等しい長さを有する。また、間架台カバー１の縦方向（Ｙ方向）の幅は、太陽電池モジュール２を設置構造３上に敷き並べた時の隣り合う太陽電池モジュール２の上側フレーム１１の間の幅とほぼ等しい幅を有する。
間架台カバー１の材質は、軽くて加工が容易な材料として、アルミが用いられる。間架台カバー１は外観性を向上させる機能のみが要求され、強度部材としての機能は持たないため、厚さは薄くても良いが、薄すぎると自重で長手方向（Ｘ方向）に曲がるため、曲がりを防止するために両端部に架台カバーリブ１２が設けられている。間架台カバー１は、この架台カバーリブ１２を下にして、隣り合う太陽電池モジュール２の間に挿入される。
このように、太陽電池モジュール２の横幅とほぼ等しい架台カバーリブ１２を、隣り合う太陽電池モジュール２の隙間を埋めるように挿入し、太陽電池モジュール２の上側フレーム１１と間架台カバー１の間架台カバー上面１８の高さを揃えることで、外観上は太陽電池モジュール２と間架台カバー１が一体となったような外観となり、外観性を向上させることができる。
【００１９】
太陽電池モジュール２は、フレーム側面２０と、フレーム側面２０の中間付近から張り出し、架台３のフランジ保持面１５に載置されるモジュールフランジ１０と、太陽電池モジュール２の上面となる上側フレーム１１と、架台３の下側フレーム保持面１８に載置される下側フレーム１７と、方形の平盤態に構成された光発電機能体である光発電基盤１９とを有する。
太陽電池モジュール２は、図１に示すように方形の平盤態に構成された光発電機能体である光発電基盤１９の周辺にアルミ製等のフレームを装着した構成である。光発電基盤は、タブ線により電気的に直列接続した複数の太陽電池セルを、充填材層を形成する透明加熱融着剤のシートに挟んで、これを透明な表面保護基板と耐候性フィルム等の裏面保護材との間に挟持して、真空引きしながら加熱して方形盤状のパネルに構成されている。
【００２０】
なお、太陽電池セルとしては、単結晶シリコン太陽電池、多結晶シリコン太陽電池などのいずれを使用しても良い。また、光発電基盤１９としては、透明な表面保護基板上に薄膜系太陽電池を形成したものであっても良い。光発電基盤１９は、方形の平盤態に構成された光発電機能体であれば、どのような構成であっても良い。
【００２１】
モジュールフランジ１０の上に上側固定部材６と間架台カバー１を積み重ねた時に、間架台カバー１の上面と太陽電池モジュール２の上側フレーム１１の上面はほぼ等しい高さとなるように構成される。
太陽電池モジュール２の上側フレーム１１は、太陽光の反射を抑制し、外観性を向上させるために、黒色で外観塗装されている。  ここで、間架台カバー１を設けない場合、架台３が見えることになり、外観性が損なわれることになる。間架台カバー１は、太陽電池モジュール２の上側フレーム１１と同じ黒色で外観塗装した材料を用い、太陽電池モジュール２間を間架台カバー上面１６で埋めるように設置することで、外観性を向上させることができる。
【００２２】
突起部材５は、実施例１では間架台カバー１の１個に対して２個設ける。また、突起部材５の横方向（Ｘ方向）の２個分の長さは、間架台カバー１の横方向（Ｘ方向）の長さよりも短い長さとする。このように構成することにより、突起部材５を間架台カバー１上に並べた際に、図２のように隣り合う突起部材５の間に突起部を持たない隙間が形成される。
なお、間架台カバー１の１個あたりに設ける突起部材５の数は２個に限るものではない。突起部材５を間架台カバー１上に並べた際に、隣り合う突起部材５の間に突起部を持たない隙間が形成される構成であれば、どのような数であっても構わない。
それぞれの突起部材５には、複数のモジュール固定ネジ４によって固定するために、ネジ止め用の穴が複数設けられている。ここでは、それぞれの突起部材５に対して、モジュール固定ネジ４が２個設けられている例について説明する。なお、それぞれの突起部材５を固定するモジュール固定ネジ４の数は、複数であれば何個であっても構わない。
【００２３】
突起部材５の外観には、間架台カバー１と同じ黒色で外観塗装が施されている。突起部材５の外観を黒色とすることにより、太陽電池モジュール２の上側フレーム１１や間架台カバー１の外観と調和し、全体の外観を損なわない効果がある。
突起部材５の材質は、軽くて加工が容易な材料として、アルミが用いられる。突起部材５は間架台カバー１と断面形状が同じ形状で構成され、曲がりを防止するために両端部に突起部材リブ１３が設けられている。
【００２４】
突起部材５は突起部材リブ１３を上にして間架台カバー１の上に設置され、太陽電池モジュール２の上面より突起部材リブ１３の高さが突出して設置される。
このように構成することにより、太陽電池モジュール２上に雪が積もった場合、突起部材５の突起部材リブ１３で積雪のすべりをせき止めることができるので、積雪の滑落による雨樋等の破損を防ぐことができる。ここで、積雪は横方向に一体となって滑り落ちようとするため、突起部材５は太陽電池モジュール２と同じ幅で設けなくても、部分的に設けられていても、積雪の滑りをせき止めることが可能である。一方、突起部材５を部分的とすることで、突起部材５の材料費を抑制し、コストを抑制することができる。
即ち、突起部材５を部分的に設けることにより、コストを抑制しつつ雪止めの機能を果たす効果がある。
【００２５】
また、突起部材５を太陽電池モジュール２の横幅と同じ長さとした場合、雨水に含まれた汚れ成分が突起部材５の上側（Ｙ方向＋側）の太陽電池モジュール２の上側フレーム１１上に蓄積され、さらに太陽電池モジュール２の光発電基盤１９上まで汚れが付着し、発電性能が悪化するが、突起部材５を部分的に設け、突起のない箇所を設けることにより、雨水に含まれた汚れ成分が流されて、太陽電池モジュール２の光発電基盤１９上に蓄積せず、発電性能を悪化させないという効果がある。
【００２６】
また、突起部材５と間架台カバー１を別体とすることにより、突起部材５の突起部材リブ１３への異常荷重等により突起部材リブ１３が破損した場合も、突起部材５のみの交換で補修が可能であり、補修コストを低減することができる。
【００２７】
また、突起部材５と間架台カバー１を同一断面で構成することにより、両者を同じ作製方法で作製することができる。
間架台カバー１や突起部材５のように、断面が同じで断面に垂直な方向の長さが長いアルミ部品の形成方法としては、アルミの押し出し成型により形成するのが一般的である。
ここで、間架台カバー１と突起部材５の断面を同じ形状とすることで、両者を同じ押し出し成型用金型で作製することが可能となり、金型コストを抑制して突起部材５を作製できるという効果がある。
【００２８】
また、間架台カバー１と突起部材５とを別体としているため、雪止めが不要な住宅と雪止めが必要な住宅で突起部材５以外は全て同じ部品を用いて固定装置を構成することができ、部品の共通化が図れるため、固定装置のコストが下がるという効果がある。
【００２９】
上側固定部材６は太陽電池モジュール２のモジュールフランジ１０の上部に配置され、両端に下側凸部と、中心部にモジュール固定ネジ４を通す穴とを有する。上側固定部材６の縦方向（Ｙ方向）の長さは、その上面が間架台カバー１の架台カバーリブ１２の内側と平面で接するように、間架台カバー１の架台カバーリブ１２の内側の距離よりも短く構成される。
上側固定部材６は、モジュール固定ネジ４毎に分割して設けられる。上側固定部材６の横方向（Ｘ方向）の長さは、突起部材５の横方向（Ｘ方向）の長さよりも短く、上側固定部材６の縦方向（Ｙ方向）の長さと同程度の長さで構成される。個数としてはモジュール固定ネジ４と同じ個数で構成される。即ち、太陽電池モジュール１台に対して間架台カバーは１個、突起部材は２個、固定穴は４箇所となるので、上側固定部材６はモジュール１台に対して４個で構成される。
【００３０】
上側固定部材６の厚さは、間架台カバー上面１６の両端に設けられた架台カバーリブ１２の高さよりも厚く構成される。このように構成することで、太陽電池モジュール２のモジュールフランジ１０の上に上側固定部材６と間架台カバー１を積み重ねた時に、太陽電池モジュール２のモジュールフランジ１０と上側固定部材６の下側凸部の下面が接することになり、間架台カバー上面１６の架台カバーリブ１２の先端はモジュールフランジ１０と接しない。
また、上側固定部材６の厚さは、モジュールフランジ１０の上に上側固定部材６と間架台カバー１を積み重ねた時に、間架台カバー１の上面と太陽電池モジュール２の上側フレーム１１の上面がほぼ等しくなるような厚さで構成される。
【００３１】
上側固定部材６の両端に下側凸部を設けることにより、上側固定部材６をモジュール固定ネジ４で押えた時に、太陽電池モジュール２のモジュールフランジ１０と接するのは上側固定部材６の下側凸部の下面のみとなり、接触面積が小さくなって接触面にかかる圧力が大きくなるため、太陽電池モジュール２のモジュールフランジ１０をしっかり固定することができる。
また、間架台カバー１と上側固定部材６は図示しない接着部材で固定されている。接着部材としては両面テープを用いても良い。また、接着剤を用いても良い。このように構成することにより、施工が容易となる効果がある。
【００３２】
下側固定部材７は、架台３の内壁に設けられたガイドレール１４に挿通できるように、Ｙ方向は内壁よりも短い長さで構成され、Ｘ方向は上側固定部材の横方向（Ｘ方向）と同程度の長さで構成される。また、個数は上側固定部材６と同じ個数、モジュール１台に対して４個で構成される。
下側固定部材７は、モジュール固定ネジ４毎に分割して設けられる。
下側固定部材７の中央部には、モジュール固定ネジ４をネジ止めするためのネジ穴が設けられている。
【００３３】
下側固定部材７は、架台３の内壁に設けられたガイドレール１４をＸ方向に自由に動くので、架台３に太陽電池モジュール２を載置した後で、下側固定部材７を動かしてネジ穴の位置を合わせることができるので、施工時のモジュール固定ネジ４のネジ止め作業が容易になるという効果がある。
【００３４】
モジュール固定ネジ４は、突起部材５、間架台カバー１、上側固定部材６、太陽電池モジュール２のモジュールフランジ１０、架台３のフランジ保持面１５を挟み、突起部材５、間架台カバー１、上側固定部材６、架台３のフランジ保持面１５に設けられた穴を通して下側固定部材７に設けられたネジ穴に締結される。このモジュール固定ネジ４を締結することにより、太陽電池モジュール２が架台３に固定されると同時に間架台カバー１と突起部材５が架台３に対して固定される。
モジュール固定ネジ４は、上側固定部材６、下側固定部材７と同じ個数、間架台カバー１の１個に対して４個設けられる。
【００３５】
太陽電池モジュール２の上側フレーム１１の上面と間架台カバー１の上面は、高さがほぼ等しくなるように構成されているので、ほぼ同一の平面を構成する。  一方、突起部材５は間架台カバー１の上面に突起部材リブ１３を上向きにして配置されるので、太陽電池モジュール２のフレーム１１と間架台カバー１で構成された平面から突起部材５の突起部材リブ１３が突出した構成となる。
従って、太陽電池モジュール２上に雪が積もった場合、突起部材５が無ければ太陽電池モジュール２の上側フレーム１１上面と間架台カバー１の上面はほぼ平面となり、積雪は滑り落ちやすくなる。一方、突起部材５を設けた場合は、突起部材５の突起部材リブ１３が積雪の滑り止めとなり、積雪の滑落を防止する。
【００３６】
ここで、太陽電池モジュール２上に積雪が残った場合、光発電基盤１９上の影となって発電性能を悪化させるため、積雪が滑り落ちても周囲の雨樋等への影響が無い場合、突起部材５を設けなければ、太陽電池モジュール２の上側フレーム１１上面と間架台カバー１の上面はほぼ平面となり、積雪は滑り落ちやすくなって、発電性能の悪化を抑制する効果がある。
【００３７】
一方、積雪が滑り落ちることにより周囲の雨樋等への影響が有る場合、突起部材５を設けることにより、積雪の滑落を防止する効果がある。
【００３８】
即ち、本発明の実施の形態１では、突起部材５の有無により積雪の滑り止めの機能の有無を選択することができるので、周囲の状況に応じてより適切な構成を容易に選択できるという効果がある。また、周囲の状況が変化した時に、滑り止めの機能の有無を容易に変更できるという効果がある。
【００３９】
なお、架台３、間架台カバー１、突起部材５の材料はアルミが一般的であるが、必要な強度や耐候性及び加工性等の条件が満たされればアルミ以外の材料でも構わない。
【００４０】
この発明の実施の形態１の固定装置は、設置構造２に対して架台３を架台固定ネジ９で固定し、架台３に対して太陽電池モジュール２と間架台カバー１と突起部材５をモジュール固定ネジ４で固定することにより、太陽電池モジュール２と間架台カバー１と突起部材５とを設置構造２上に固定することができる。
これにより、複数の太陽電池モジュール２と固定装置で構成された太陽電池システム全体を強固な構造で構成することができる。
【００４１】
また、この発明の実施の形態１の固定装置は、架台３の上部を間架台カバー１で覆うことにより、複数の太陽電池モジュール２と固定装置で構成された太陽電池システム全体の外観性を向上させることができる。
【００４２】
また、この発明の実施の形態１の固定装置は、複数の太陽電池モジュール２の上面で構成された平面から突起部材５の突起部材リブ１３が飛び出しているため、積雪の滑り止めとなり、積雪の滑落を防止することができる。
【００４３】
実施の形態２．
図５、６を用いて本発明の実施の形態２について説明する。
実施の形態２は、敷き並べた太陽電池モジュール２の端部に設置される固定装置についての発明である。
敷き並べた太陽電池モジュール２の端部とは、最下段の大陽電池モジュール２の軒側または最上段の太陽電池モジュール２の棟側を意味する。
【００４４】
図５に、本発明の実施の形態２の固定装置を示す。
図５は最下段の大陽電池モジュール２の軒側の固定装置である。
なお、最上段の太陽電池モジュール２の棟側では、全体を左右反対となる構成にする以外は同じ構成である。
図５の右側半分は実施の形態１と同一の構成である。
一方、固定装置の左側には、大陽電池モジュール２は存在しない。
その替わりに、間架台カバー１に替えて設けられた軒棟架台カバー２１が架台３の上面及び側面を覆うように設けられている。
軒棟架台カバー２１を設置する位置については、図２にも示されている。４段に並べられた太陽電池モジュール２の最下段側と最上段側に軒棟架台カバー２１が設置されている。
【００４５】
図６に、本発明の実施の形態２の軒棟架台カバーの側面図を示す。
軒棟架台カバー２１は、軒棟架台カバー上面２２と、軒棟架台カバーリブ２３と、軒棟架台カバー側面２４と、軒棟架台カバー中間フランジ２５と、軒棟架台カバー下側フランジ２６を有する。
軒棟架台カバー上面２２は、架台３の上面を覆う。
軒棟架台カバーリブ２３は、軒棟架台カバー上面２２の一方の端部に軒棟架台カバー上面２２とほぼ垂直に設けられ、軒棟架台カバー２１の変形を抑制する。
軒棟架台カバー側面２４は、軒棟架台カバー中間フランジ２５から下端までの高さが架台３の高さと同程度の長さを有し、軒棟架台カバー上面２２の他方の端部より斜めに設けられている。
【００４６】
このように構成することにより、軒棟架台カバー側面２４は架台３の側面を覆うことができるので、太陽電池システムの外観性を向上させることができる。
軒棟架台カバー中間フランジ２５は、軒棟架台カバー上面２２から上側固定部材６の厚さと同じ間隔を開けて、大陽電池モジュール２のモジュールフランジ１０と同じ厚さで設けられている。
軒棟架台カバー下側フランジ２６は、軒棟架台カバー中間フランジ２５から架台３のフランジ保持面１５と下側フレーム保持面１８との間隔と同じ間隔を開けて設けられている。
【００４７】
軒棟架台カバー２１以外の、モジュール固定ネジ４、突起部材５、上側固定部材６、下側固定部材７、架台３の構成は実施の形態１と同様である。
【００４８】
このように構成することにより、軒棟架台カバー２１を図４のように上側固定部材６の上に乗せたときに、軒棟架台カバー中間フランジ２５が大陽電池モジュール２のモジュールフランジ１０の替わりに架台３のフランジ保持面１５と上側固定部材６の間を埋めるとともに、軒棟架台カバー下側フランジ２６が架台３の下側フレーム保持面１８の上に乗せられるので、固定装置全体を強固に固定することができる。
【００４９】
また、架台３の上面を軒棟架台カバー上面２２で覆い、架台３の側面を軒棟架台カバー側面２４で覆うことにより、複数の太陽電池モジュール２と架台装置で構成された太陽電池システム全体の外観性を向上させることができる。
【００５０】
また、複数の太陽電池モジュール２の上面で構成された平面から突起部材５の突起部材リブ１３が飛び出しているため、積雪の滑り止めとなり、積雪の滑落を防止することができる。
【００５１】
実施の形態３．
本発明の実施の形態３について詳細に説明する。
図７は本発明の実施の形態３の構成図である。
突起部材５の下面には、仮止め部材として突起部材用両面テープ３１が上面側の保護シールを剥がして貼り付けられている。
それ以外の構成は実施の形態１と同じである。
【００５２】
以下に、実施の形態３の施工方法を説明する。
施工順に、Ａ，Ｂ，Ｃが陸上での作業、Ｅ，Ｆ，Ｇが屋根上での作業となる。
【００５３】
まず、陸上作業として、以下Ａ，Ｂ，Ｃの作業を実施する。
Ａでは、間架台カバー１と突起部材５を準備する。
Ｂでは、突起部材５の下面側に貼り付けられた突起部材用両面テープ３１の、下面側の保護シールを剥がす。
Ｃでは、突起部材５に貼り付けられた突起部材用両面テープ３１の下面側に、間架台カバー１を貼り付けて仮止めする。
【００５４】
Ｄからは屋根上での作業となる。
Ｄでは、仮止めしたＣの部材を持って屋根上に上る。
Ｅでは、仮止めしたＣを架台３上部に設置する。
Ｆでは、仮止めしたＣを固定ネジ４により固定する。
【００５５】
このように、間架台カバー１と突起部材５との間に仮止め部材として突起部材用両面テープ３１を設けることにより、施工途中に自重で落下しないという効果がある。
また、このような施工手順とすることにより、屋根上に持ち上げる部品点数が少なくなり、屋根上での作業が減って施工が容易になるという効果がある。一方、間架台カバー１と突起部材５とを仮止めとしておくことにより、突起部材５が破損した際の交換が容易になるという効果がある。
【００５６】
なお、間架台カバー１と突起部材５との仮止め部材としては、突起部材用両面テープ３１に限定されるものではない。積雪荷重に対しては、Ｆの作業の固定ネジ４の固定により固定されているので、積雪荷重に耐える強度は必要ではない。施工途中に自重で落下しない程度の接着力を有するとともに、交換時に容易に剥がせる接着強度を有する部材であればなんでも良い。
【００５７】
実施の形態４．
本発明の実施の形態４について詳細に説明する。
図８は本発明の実施の形態４の分解斜視図である。
図９は本発明の実施の形態４の斜視図である。
実施の形態１では、間架台カバー１の１個に対して突起部材５を２個設けたが、実施の形態４では、間架台カバー１の１個に対して突起部材４１を１個設ける構成とする。
【００５８】
突起部材４１に対して、固定ネジ４は複数設ける。各突起部材４１に対して２個の固定ネジ４を設ける場合、上側固定部材６および下側固定部材７および固定ネジ４は間架台カバー１の１台に対して２個で構成される。
【００５９】
突起部材４１の横方向（Ｘ方向）の１個分の長さは、間架台カバー１の長さよりも短い長さとする。このように構成することにより、複数の太陽電池モジュール２を敷き並べ、それぞれの間架台カバー１上に突起部材４１を設けた際に、隣り合う突起部材４１の間に隙間が形成される。
それ以外の構成は実施の形態１と同じである。
【００６０】
このように構成することにより、この発明の実施の形態４の固定装置は、設置構造２に対して架台３を架台固定ネジ９で固定し、架台３に対して太陽電池モジュール２と間架台カバー１と突起部材４１をモジュール固定ネジ４で固定することにより、太陽電池モジュール２と間架台カバー１と突起部材４１とを設置構造２上に固定することができる。
これにより、複数の太陽電池モジュール２と固定装置で構成された太陽電池システム全体を強固な構造で構成することができる。
【００６１】
また、架台３の上部を間架台カバー１で覆うことにより、複数の太陽電池モジュール２と固定装置で構成された太陽電池システム全体の外観性を向上させることができる。
【００６２】
また、複数の太陽電池モジュール２の上面で構成された平面から突起部材４１が飛び出しているため、積雪の滑り止めとなり、積雪の滑落を防止することができる。
【符号の説明】
【００６３】
１  間架台カバー
２  太陽電池モジュール
３  架台
４  モジュール固定ネジ
５  突起部材
６  上側固定部材
７  下側固定部材
８  設置構造
９  架台固定ネジ
１０  モジュールフランジ
１１  上側フレーム
１２  架台カバーリブ
１３  突起部材リブ
１４  ガイドレール
１５  フランジ保持面
１６  間架台カバー上面
１７  下側フレーム
１８  下側フレーム保持面
１９  光発電基盤
２０  フレーム側面
２１  軒棟架台カバー
２２  軒棟架台カバー上面
２３  軒棟架台カバーリブ
２４  軒棟架台カバー側面
２５  軒棟架台カバー中間フランジ
２６  軒棟架台カバー下側フランジ
３１  突起部材用両面テープ
４１  突起部材
【図１】
2014190019.tif 000003
【図２】
2014190019.tif 000004
【図３】
2014190019.tif 000005
【図４】
2014190019.tif 000006
【図５】
2014190019.tif 000007
【図６】
2014190019.tif 000008
【図７】
2014190019.tif 000009
【図８】
2014190019.tif 000010
【図９】
2014190019.tif 000011